(57)【特許請求の範囲】
【請求項１】
枠状ハウジング本体と、該ハウジング本体の底面側に配置されモータ用回路基板及びステータを保持すると共にロータの中心軸等を回転支持する底板と、前記ハウジング本体と前記底板とを連結した複数の支持脚とを有し、該支持脚の１つに前記モータ用回路基板に接続されたリード線を案内するためのリード線案内通路を形成してなるファンモータであって、前記リード線案内通路内の外縁には、線径の異なるリード線を支持するための溝幅の異なる複数のリード線支持溝が前記ハウジング本体の縁部が内側に切り込まれて形成されていることを特徴とするファンモータ。
【請求項２】
前記リード線支持溝は、該溝内に支持されているリード線の外れを防止するために鉤状に屈曲形成されていることを特徴とする請求項１に記載のファンモータ。
【請求項３】
前記リード線案内通路には、前記リード線の前記底板の下面からはみ出しを防止するためのリード線押さえ部が設けられていることを特徴とする請求項１に記載のファンモータ。
【請求項４】
前記リード線押さえ部は、リード線の一部を底面側から覆う舌状片からなり、該舌状片のリード線と当接する側には該リード線の横ずれを防止するための爪部が設けられていることを特徴とする請求項３に記載のファンモータ。
【請求項５】
前記リード線押さえ部のリード線と当接する側にはリード線の引き出し側の幅を狭くする傾斜部が突出形成されていることを特徴とする請求項３又は４に記載のファンモータ。
【発明の詳細な説明】
【０００１】
【発明の属する技術分野】
本発明は、ファンモータに係り、特に、モータ用回路基板に接続されるリード線の支持の確実化と、単一のハウジング本体により複数の線径のリード線の支持が可能なファンモータに関する。
【０００２】
【従来の技術】
モータの底面側の底板と枠状ハウジング本体とを複数の支持脚で連結し、リード線を前記底板に支持されるモータ用回路基板に案内する構造のファンモータとしては、例えば、図１０に示す構造のものが一般的に採用されている。筒状ベアリングホルダａを一体的に形成する底板ｂは枠状ハウジング本体ｃと支持脚ｄ等を介して連結される。底板ｂにはモータ用回路基板ｅやステータｆが支持されると共に、そのベアリングホルダａの内部には上方軸受ｇおよび下方軸受ｈを介して中心軸ｉが枢支される。中心軸ｉにはヨークｊ、ロータマグネットｋおよび羽根ｌを設けたロータｍが連結される。なお、ロータマグネットｋはステータｆと相対向して配置され、羽根ｌはハウジング本体ｃの内壁に近接して配置される。
【０００３】
複数の支持脚ｄのうち特定の支持脚ｄには、底面側に開口したリード線案内溝ｎが形成され、リード線ｏはこの支持脚ｄの案内溝ｎに挿入される接続具ｐに連結され、案内溝ｎに沿ってハウジング本体ｃの開口端ｑ側に案内される。また、接続具ｐは端子ｒによりモータ用回路基板ｅに半田付け等により接続される。
【０００４】
リード線を案内する支持構造としては各種の公知技術がある。例えば、実公平４−１６６２０号公報，実公平７−５２３９８号公報，実公平８−７８２０号公報等が挙げられる。実公平４−１６６２０号公報の「軸流送風機用電動機」は、前記ハウジング本体１６に相当する端板（２），（３）の周縁部にリード線（７）を支持する支持溝（８）と、支持溝（８）内にリード線（７）を挿入する挿入溝（９）とを形成し、リード線（７）が端板（２），（３）に邪魔されることなく引き込まれるようにしたものである。
【０００５】
実公平７−５２３９８号公報の「軸流ファン装置」には、リード線（４）を案内するリード線溝（１０）内に設けたリード線押さえ（９）が第１図に開示されている。また、実公平８−７８２０号公報の「送風機」は、前記基板に相当する軸支持部（３）に嵌合凹部（１８）を設け、嵌合凹部（１８）に接続具（１９）を介してリード線（８）を連結し、前記ハウジング本体に相当する枠体（１）外にリード線（８）を引き出す構造が開示されている。
【０００６】
【発明が解決しようとする課題】
前記の公知技術は夫々特徴を有するものであるが、次のような問題点がある。ファンモータに使用されるリード線はモータの定格電流に応じて線径が異なる。即ち、ファンモータの外形の形状が同一であっても高速回転用や高容量のものはモータ電流が大きいためリード線の線径の大きいものが使用され、逆に低速回転用や小容量のものでは小さな線径のリード線が使用される。一方、ファン用ハウジングを成形する場合、ハウジングの端板の挿入口はリード線の線径に合わせた大きさにしないとリード線の保持が不確実になり、リード線が使用中に切断する原因の一つになる。然し乍ら、リード線の線径に合わせて何種類かの成形型を用意すると型コストが大となり、且つ型管理も煩雑となる。前記した公知技術はいずれも単一のリード線のみを考慮するもので複数種類のリード線を安定保持する構造に形成されていない。
【０００７】
本発明は、以上の事情に鑑みて創案されたものであり、単一のハウジングで複数種類のリード線を安定保持することができ、且つ比較的構造が簡単で安価に実施できるファンモータを提供することを目的とする。
【０００８】
【課題を解決するための手段】
本発明は、以上の目的を達成するために、枠状ハウジング本体と、該ハウジング本体の底面側に配置されモータ用回路基板及びステータを保持すると共にロータの中心軸等を回転支持する底板と、前記ハウジング本体と前記底板とを連結した複数の支持脚とを有し、該支持脚の１つに前記モータ用回路基板に接続されるリード線を案内するためのリード線案内通路を形成してなるファンモータであって、前記リード線案内通路内の外縁には、線径の異なるリード線を支持するための溝幅の異なる複数のリード線支持溝が前記ハウジング本体の縁部が内側に切り込まれて形成されていることを特徴とする。また、前記リード線支持溝は、該溝内に支持されているリード線の外れを防止するために鉤状に屈曲形成されていることを特徴とする。さらに、前記リード線案内通路には、前記リード線の前記底板の下面からのはみ出しを防止するためのリード線押さえ部が設けられていることを特徴とする。また、前記リード線押さえ部は、リード線の一部を底面側から覆う舌状片からなり、該舌状片のリード線と当接する側には該リード線の横ずれを防止するための爪部が設けられていることを特徴とする。さらに、前記リード線押さえ部のリード線と当接する側にはリード線の引き出し側の幅を狭くする傾斜部が突出形成されていることを特徴とする。
【０００９】
ハウジング本体の外縁にはリード線の線径に見合う溝幅寸法のリード線支持溝が複数箇所形成される。モータ用回路基板と連結されるリード線は、支持脚のリード線案内通路に沿って案内され、その線径に見合うリード線支持溝の溝に支持されて引き出される。リード線支持溝はハウジング本体の成形時に同時に形成されるもので容易に、且つ安価に実施できる。また、リード線支持溝は鉤状に形成され、リード線の外れを防止する。一方、支持脚にはリード線案内通路が形成され、リード線を円滑に案内すると共に、該通路内にはリード線のはみ出しを防止するリード線押さえ部が形成される。なお、リード線押さえ部には爪部や傾斜部が形成され、リード線の拘束支持の確実化を図るようにしている。
【００１０】
【発明の実施の形態】
以下、本発明のファンモータの実施の形態を図面を参照して詳述する。図１は本発明に係るファンモータの底面側の構造を示すものであり、図２は図１のＡ−Ａ線断面図である。四辺形枠状のハウジング本体２の底面の中央部には底板４が配置される。底板４はほぼ放射状に配置された四本の支持脚６，６，６，６ａを介してハウジング本体２と連結し一体形状に形成される。なお、一つの支持脚６ａは他の支持脚６よりも幅広に形成されている。
【００１１】
中心孔８を有する底板４は図２に示すように中心軸（図略）やステータ（図略）およびモータ用回路基板（図略）を支持するほぼ円筒状ベアリングホルダ１０が一体的に形成される。なお、ハウジング本体２内には図１０に示したものと同様にロータ，羽根等が収納される。
【００１２】
図１および図３に示すように他の支持脚６よりも幅広の支持脚６ａにはリード線案内通路１２が底面側に開口して形成される。このリード線案内通路１２の底板４側は底板４に設けられた開口部１４に連通し、リード線案内通路１２のハウジング本体２の外縁側は開口される。また、開口部１４には接続具１６が配置され、接続具１６はモータ用回路基板（図略）に電気的に接続される。
【００１３】
リード線案内通路１２の外縁側にはリード線支持溝１８が形成される。図１，図３，図４に示すように、リード線支持溝１８は本例では２種類の支持溝２０，２２からなる。勿論、２種類に限定するものではない。図４に示すように、一方の支持溝２０は太い線径のリード線２４に対応する溝幅を有し、他方の支持溝２２は細い線径のリード線２６に対応する溝幅を有する。
【００１４】
図３，図４，図６および図７に示すように、リード線支持溝１８の二つの支持溝２０，２２は鉤状保持片２８により画成されている。即ち、支持溝２０は図４に示すように、太い線径のリード線２４の嵌まり込む溝部２０ａとこの一端側から鉤状保持片２８の鉤部２８ａに沿って屈曲する狭い溝部２０ｂとから形成される。なお、狭い溝部２０ｂはリード線２４の線径よりも若干狭い溝幅を有する。一方、支持溝２２は細い線径のリード線２６の嵌まり込む溝部２２ａとこの一端側から鉤状保持片２８の鉤部２８ａに沿って屈曲する狭い溝部２２ｂとから形成される。なお、狭い溝部２２ｂはリード線２６の線径よりも若干狭い溝幅を有する。
【００１５】
一方、図１，図３，図５に示すように、リード線案内通路１２の中間部にはリード線押さえ部３０が形成される。本例ではリード線押さえ部３０はリード線案内通路１２に沿って配線されたリード線２４（又は２６）の底面側に位置しこれの外れを防止する舌状片３０ａからなる。なお、舌状片３０ａは適宜長さだけ張り出しリード線２４（又は２６）を覆う。
【００１６】
接続具１６に接続されたリード線２４（又はリード線２６）はリード線案内通路１２に案内され、且つリード線押さえ部３０の舌状片３０ａにより保持されてハウジング本体２の外周縁側開口端に導かれる。この開口端においてリード線２４（又はリード線２６）は支持溝２０（又は支持溝２２）の溝部２０ｂから溝部２０ａに（又は溝部２２ｂから溝部２２ａ）に挿入，案内され、この溝２０（又は溝２２）内で把持された状態で外部に案内される。この場合、前記したように、鉤状保持片２８により支持溝２０，２２が屈曲され、且つ溝部２０ｂ，２２ｂがリード線２４，２６の線径よりも狭いためリード線２４，２６は支持溝２０，２２から外れることなく確実に保持される。
【００１７】
図８，図９はリード線押さえ部３２の他の実施の形態を示すものである。この舌状片３２ａは内側に傾斜部３４を形成すると共に、爪部３６を突出形成するものからなる。傾斜部３４はリード線押さえ部３２により一部が保持されたリード線２４（又はリード線２６）の引き出し方向の幅を狭くするものでリード線２４（又はリード線２６）がばらけないように拘束するものである。また、爪部３６はリード線２４（又はリード線２６の横ずれを拘束するものである。本例のリード線押さえ部３２を用いることにより、リード線２４（又はリード線２６）の保持，拘束がより確実に行われる。
【００１８】
以上の説明において、リード線支持溝１８の支持溝２０，２２を線径の太いものと細いものの２種類としたが、これに限定するものではない。また、支持溝２０，２２の屈曲形状も図示のものに限定するものではない。また、リード線押さえ部３０，３２の形状や数も前記のものに限定するものではない。また、爪部３６の形状，数も前記の説明のものに限定するものではない。
さらに、上記実施の形態では、リード線に接続具を取付けてこれをモータ用回路基板に接続する場合について説明したが、これに限らず、リード線をモータ用回路基板に直接接続（半田付け）するようにしてもよい。
【００１９】
【発明の効果】
１）本発明の請求項１に記載のファンモータによれば、単一のハウジング本体のリード線案内通路の外縁に線径の異なるリード線を支持するためのリード線支持溝が複数箇所形成されるため、線径が異なるリード線ごとにハウジング本体を成形する必要がなく、線径が異なるリード線に対してハウジング本体を共通に使用することができ、部品の共通化が図れ、大幅なコストダウンが実現し、且つ管理の容易化ができる。
２）本発明の請求項２に記載のファンモータによれば、リード線支持溝は鉤形に形成されるため、溝内のリード線の外れが防止され、確実の保持が可能になる。
３）本発明の請求項３に記載のファンモータによれば、リード線を案内するリード線案内通路にリード線のハウジング本体からのはみ出しを防止するリード線押さえ部が設けられるため、リード線がハウジング本体側に整然と収納保持される。
４）本発明の請求項４に記載のファンモータによれば、リード線押さえ部がリード線の一部の外周に当接してこれを覆う舌状片からなり、且つ爪部が形成されるため、リード線の横ずれが防止される。
５）本発明の請求項５に記載のファンモータによれば、リード線押さえ部には傾斜部が形成されるため、リード線が傾斜部により幅狭の向きに集約され、整然と保持される。
【図面の簡単な説明】
【図１】本発明のファンモータのハウジング本体を示す下面図。
【図２】図１のＡ−Ａ線断面図。
【図３】図１のリード線配線部まわりの詳細構造を示す拡大部分下面図。
【図４】図２のリード線支持溝まわりの詳細構造を示す拡大部分下面図。
【図５】図３のＢ−Ｂ線断面図。
【図６】図３のＣ−Ｃ線断面図。
【図７】図３のＤ−Ｄ線断面図。
【図８】本発明のファンモータにおけるリード線押さえ部の他の実施の形態を示す部分下面図。
【図９】図８のＥ−Ｅ線断面図。
【図１０】ハウジング本体の底面にリード線を支持する一般的なファンモータの全体概要構造を示す軸断面図。
【符号の説明】
２  ハウジング本体
４  底板
６、６ａ  支持脚
１２  リード線案内溝
１８  リード線支持溝
２０、２２  支持溝
２４、２６  リード線
２８  鉤状保持片
３０、３２  リード線押さえ部
３０ａ，３２ａ  舌状片
３６  爪部
【図１】
0003645397.tif 000002
【図２】
0003645397.tif 000003
【図３】
0003645397.tif 000004
【図４】
0003645397.tif 000005
【図５】
0003645397.tif 000006
【図６】
0003645397.tif 000007
【図７】
0003645397.tif 000008
【図８】
0003645397.tif 000009
【図９】
0003645397.tif 000010
【図１０】
0003645397.tif 000011